(57)【要約】    【課題】  特別の動力源を必要とせずに溶液を希釈して散水することができる溶液希釈散水装置を提供することである。    【解決手段】  水道ホース（１４）と、水道ホースの先端付近の個所に取り付けられた溶液収容容器（１２）とを備え、溶液収容容器の溶液液面より上方に少なくとも１個の小孔（１２ａ）が設けられ、溶液収容容器と流体連通する溶液注入管の先端が、水道ホース内の先端から少なくとも５ｍｍ内側に位置決めされていることを特徴とする。好ましくは、水道ホースの先端部分の内径が他の部分の内径よりも小さく形成され、或いは、水道ホースの先端に水道ホースの開口の一部を覆うそらせ板が取り付けられている。【選択図】  図１
2005046784.tif 000002
【特許請求の範囲】
【請求項１】
溶液希釈散水装置であって、
水道ホースと、
前記水道ホースの先端付近の個所に取り付けられた溶液収容容器とを備え、
前記溶液収容容器の溶液液面より上方に少なくとも１個の小孔が設けられ、
前記溶液収容容器と流体連通する溶液注入管の先端が、前記水道ホース内の先端から少なくとも５ｍｍ内側に位置決めされていることを特徴とする装置。
【請求項２】
前記水道ホースの先端部分の内径が他の部分の内径よりも小さく形成され、或いは、前記水道ホースの先端に水道ホースの開口の一部を覆うそらせ板が取り付けられていることを特徴とする請求項１に記載の装置。
【発明の詳細な説明】
【技術分野】
【０００１】
本発明は一般に、散水装置に関する。より詳細には、本発明は、特別の動力源を必要とせずに溶液を希釈して水と混合させ散水することができる溶液希釈散水装置に関する。ここで、溶液には、洗剤、肥料、農薬などの原液が含まれる。
【背景技術】
【０００２】
商品化されている液状の洗剤、肥料、除草剤などは、一般的に、高濃度の溶液を容器に入れて販売されている。したがって、使用時に、溶液を３００〜１０００倍程度に希釈して使用しなければならない。すなわち、このような溶液は、バケツなどの容器に水を入れ、所要量の溶液を添加し、攪拌混合した後、散水している。
【発明の開示】
【発明が解決しようとする課題】
【０００３】
しかしながら、上述のように、散水する前に水で希釈する必要があるため、手間がかかるという課題があった。一方、モータなどの動力源を利用して溶液を吸引し、水と混合して散水する装置が市販されているが、取り扱いが面倒であり、比較的高価であるという課題があった。
【０００４】
したがって、本発明は、特別の動力源を必要とせずに溶液を希釈して散水することができる溶液希釈散水装置を提供することを目的としている。
【課題を解決するための手段】
【０００５】
本願請求項１に記載の溶液希釈散水装置は、水道ホースと、前記水道ホースの先端付近の個所に取り付けられた溶液収容容器とを備え、前記溶液収容容器の溶液液面より上方に少なくとも１個の小孔が設けられ、前記溶液収容容器と流体連通する溶液注入管の先端が、前記水道ホース内の先端から少なくとも５ｍｍ内側に位置決めされていることを特徴とするものである。
【０００６】
本願請求項２に記載の溶液希釈散水装置は、前記請求項１の装置において、前記水道ホースの先端部分の内径が他の部分の内径よりも小さく形成され、或いは、前記水道ホースの先端に水道ホースの開口の一部を覆うそらせ板が取り付けられていることを特徴とするものである。
【発明の効果】
【０００７】
本発明によれば、特別の動力源を必要とせずに、溶液を希釈して散水することができる溶液希釈散水装置が提供される。本発明の装置は、構造が簡単であるため、廉価に製造することができるとともに、取り扱いが簡単であり、修理も容易に行うことができる。
【発明を実施するための最良の形態】
【０００８】
次に図面を参照して、本発明の好ましい実施の形態に係る溶液希釈散水装置について詳細に説明する。図１において全体として参照符号１０で示される本発明の好ましい実施の形態に係る溶液希釈散水装置は、溶液が収容される溶液収容容器１２を備えている。溶液収容容器１２は、水道管（図示せず）に接続された水道ホース１４の先端付近の個所に取り付けられている。
【０００９】
水道ホース１４は好ましくは、水を勢いよく噴射させるため、先端部分の内径Ｄ1 がそれ以外の部分の内径Ｄ2 よりも小さくなるように形成されている。
【００１０】
溶液収容容器１２の上部には、少なくとも１個の小孔１２ａが設けられている。なお、小孔１２ａを設ける個所は、溶液液面より上方であれば、溶液収容容器１２の側壁でもよい。また、溶液収容容器１２の底壁に設けられた穴１２ｂには、溶液収容容器１２と流体連通するように溶液注入管１６の一端が接続されており、溶液注入管１６の他端が、水道ホース１４の先端部分（内径Ｄ1 の部分）に配置されている。さらに、溶液注入管１６には、水道ホース１４内への溶液の注入を遮断するためのバルブ１８が設置されている。
【００１１】
なお、溶液注入管１６の先端は、水道ホース１４の先端から少なくとも５ｍｍ内側に位置決めされている（すなわち、図１におけるＬは５ｍｍ以上である）。これは、Ｌを５ｍｍ以下にすると、後述する負圧の形成が不十分となるからである。
【００１２】
以上のように構成された溶液希釈散水装置１０の使用について説明する。まず、溶液収容容器１２の蓋を開けて所望の溶液を入れる。そして、バルブ１８を開放した状態で、水道ホース１４に水道水を流す。すると、図２に示されるように、溶液注入管１６の先端付近の個所Ａにおいて水道水に渦が発生して負圧が生じ、溶液収容容器１２内の溶液に小孔１２ａを介して作用する大気圧の作用と相まって、溶液注入管１６内を溶液が吸引され、水道水と混合されて、水道ホース１４の先端から噴射される。この際、水道ホース１４の先端部分の内径が小さくなっているので、溶液が混合された水道水が勢いよく噴射される。なお、溶液収容容器１２内の溶液に大気圧を作用させるため、溶液希釈散水装置１０の使用に際しては、溶液収容容器１２が水道ホース１４の上方に位置するように留意する必要がある。
【００１３】
次に、本発明の溶液希釈散水装置１０の有効性を実証するために行った試験について説明する。試験では、水道ホース１４の先端部分の内径Ｄ1 が５ｍｍ、溶液注入管１６の外径が３ｍｍ、内径が１．５ｍｍの装置を使用し、溶液注入管１６の先端を水道ホース１４の先端から１０ｍｍの個所（Ｌ＝１０ｍｍ）に設置した。そして、溶液収容装置１２内に溶液として１００ミリリットルの着色水を入れ、水道ホース１４に１８リットル／分の水を流した。その結果、平均して２分５８秒で１００ミリリットルの溶液を希釈して散水することができた（換言すると、平均して２分５８秒で溶液収容装置１２内の着色水がなくなった）。
【００１４】
本発明は、以上の発明の実施の形態に限定されることなく、特許請求の範囲に記載された発明の範囲内で、種々の変更が可能であり、それらも本発明の範囲内に包含されるものであることはいうまでもない。
【００１５】
例えば、前記実施の形態では、水を勢いよく噴射させるため、水道ホース１４の先端部分の内径Ｄ1 がそれ以外の部分の内径Ｄ2 よりも小さくなるように水道ホース１４が形成されているが、図３に示されるように、水道ホース１４の先端に、水道ホース１４の開口の一部を覆うそらせ板１４ａを取り付けてもよい。
【００１６】
また、前記実施の形態では、溶液注入管１６は１本のみであるが、２本の溶液注入管１６を設けてもよい。
【図面の簡単な説明】
【００１７】
【図１】本発明の好ましい実施の形態に係る溶液希釈散水装置を概略的に示した断面図である。
【図２】図１において水道ホースの先端部分を拡大して示した断面図である。
【図３】（ａ）は溶液希釈散水装置の変形形態を示した断面図、（ｂ）は（ａ）の線３ｂ−３ｂに沿った見た図である。
【符号の説明】
【００１８】
１０  溶液希釈散水装置
１２  溶液収容容器
１４  水道ホース
１６  溶液注入管
【図１】
2005046784.tif 000003
【図２】
2005046784.tif 000004
【図３】
2005046784.tif 000005